(57)【要約】      （修正有）【課題】重送を検知したことによって原稿の読取動作を停止するか否かを設定する。【解決手段】原稿を搬送する搬送手段と前記搬送手段によって搬送される原稿の重送を検知する検知手段と前記搬送手段によって搬送される原稿の画像を読み取る読取手段と前記検知手段による前記原稿の重送の検知によって前記原稿の読取動作を停止するか否かを設定する設定手段と前記設定手段によって前記検知手段による前記原稿の重送の検知によって前記原稿の読取動作を停止するよう設定されている場合に前記検知手段による前記原稿の重送の検知によって前記原稿の読取動作を停止するよう制御し、前記設定手段によって前記検知手段による前記原稿の重送の検知によって前記原稿の読取動作を停止しないよう設定されている場合に、前記検知手段による前記原稿の重送の検知によって前記原稿の読取動作を停止せずに継続するよう制御する制御手段と、を有する。【選択図】図５
2015106817.tif 000002
【特許請求の範囲】
【請求項１】
原稿を搬送する搬送手段と、
前記搬送手段によって搬送される原稿の重送を検知する検知手段と、
前記搬送手段によって搬送される原稿の画像を読み取る読取手段と、
前記検知手段による前記原稿の重送の検知によって前記原稿の読取動作を停止するか否かを設定する設定手段と、
前記設定手段によって前記検知手段による前記原稿の重送の検知によって前記原稿の読取動作を停止するよう設定されている場合に、前記検知手段による前記原稿の重送の検知によって前記原稿の読取動作を停止するよう制御し、
前記設定手段によって前記検知手段による前記原稿の重送の検知によって前記原稿の読取動作を停止しないよう設定されている場合に、前記検知手段による前記原稿の重送の検知によって前記原稿の読取動作を停止せずに継続するよう制御する制御手段とを有することを特徴とする原稿読取装置。
【請求項２】
前記検知手段による前記原稿の重送の検知によって前記原稿の読取動作を停止するか否かを設定するための画面を表示する表示手段をさらに有し、
前記設定手段は、前記画面を介して、前記検知手段による前記原稿の重送の検知によって前記原稿の読取動作を停止する指示を受け付けた場合に、前記検知手段による前記原稿の重送の検知によって前記原稿の読取動作を停止するよう設定し、
前記画面を介して、前記検知手段による前記原稿の重送の検知によって前記原稿の読取動作を停止しない指示を受け付けた場合に、前記検知手段による前記原稿の重送の検知によって前記原稿の読取動作を停止しないよう設定することを特徴とする請求項１に記載の原稿読取装置。
【請求項３】
前記原稿の画像をシートに印刷する印刷手段と、
前記シートの種類を受け付ける受付手段とをさらに有し、
前記設定手段は、前記受付手段によって受け付けたシートの種類が第１の種類である場合に、前記検知手段による前記原稿の重送の検知によって前記原稿の読取動作を停止するよう設定し、
前記設定手段は、前記受付手段によって受け付けたシートの種類が前記第１の種類とは異なる第２の種類である場合に、前記検知手段による前記原稿の重送の検知によって前記原稿の読取動作を停止しないよう設定することを特徴とする請求項１または２に記載の原稿読取装置。
【請求項４】
前記第２の種類は、封筒を含むことを特徴とする請求項３に記載の原稿読取装置。
【請求項５】
前記第１の種類は、普通紙を含むことを特徴とする請求項４に記載の原稿読取装置。
【請求項６】
前記検知手段による前記原稿の重送の検知によって前記原稿の読取動作を停止した場合に、原稿の重送が発生したことをユーザに通知する通知手段をさらに有することを特徴とする請求項１乃至５のいずれか１項に記載の原稿読取装置。
【請求項７】
前記検知手段による前記原稿の重送の検知によって前記原稿の読取動作を停止した場合に、原稿を前記搬送手段によって再度搬送するためにセットするようユーザに促す提示手段をさらに有することを特徴とする請求項１乃至５のいずれか１項に記載の原稿読取装置。
【請求項８】
前記検知手段による前記原稿の重送の検知によって前記原稿の読取動作を停止した場合に、原稿を前記搬送手段によって再度搬送するためにセットするようユーザに促す提示手段をさらに有することを特徴とする請求項１乃至５のいずれか１項に記載の原稿読取装置。
【請求項９】
原稿を搬送する搬送手段と、
前記搬送手段によって搬送される原稿の重送を検知する検知手段と、
前記搬送手段によって搬送される原稿の画像を読み取る読取手段と、
前記検知手段による前記原稿の重送の検知を行うか否かを設定する設定手段と、
前記設定手段によって前記検知手段による前記原稿の重送の検知を行うよう設定されている場合に、前記検知手段による前記原稿の重送の検知を行うよう制御し、
前記設定手段によって前記検知手段による前記原稿の重送の検知を行うよう設定されていない場合に、前記検知手段による前記原稿の重送の検知を行わないよう制御する制御手段とを有することを特徴とする原稿読取装置。
【請求項１０】
原稿を搬送する搬送手段によって搬送される原稿の重送を検知する検知工程と、
前記搬送手段によって搬送される原稿の画像を読み取る読取工程と、
前記検知工程における前記原稿の重送の検知によって前記原稿の読取動作を停止するか否かを設定する設定工程と、
前記設定工程で前記検知工程における前記原稿の重送の検知によって前記原稿の読取動作を停止するよう設定されている場合に、前記検知工程における前記原稿の重送の検知によって前記原稿の読取動作を停止するよう制御し、
前記検知工程における前記原稿の重送の検知によって前記原稿の読取動作を停止しないよう設定されている場合に、前記検知工程における前記原稿の重送の検知によって前記原稿の読取動作を停止せずに継続するよう制御する制御工程とを有することを特徴とする原稿読取装置の制御方法。
【請求項１１】
請求項１０に記載の原稿読取装置の制御方法を、コンピュータに実行させるためのプログラム。
【発明の詳細な説明】
【技術分野】
【０００１】
本発明は、原稿読取装置、原稿読取装置の制御方法、及びプログラムに関するものである。
【背景技術】
【０００２】
従来、原稿読取装置は、原稿台に置かれた原稿、または、自動原稿搬送装置（ＡＤＦ）によって搬送される原稿を読み取り、読み取った原稿の画像を示す画像データを生成する。
【０００３】
このような原稿読取装置で、原稿を読み取る場合に、複数枚の原稿が重なった状態で原稿の搬送が行われてしまう場合がある。このように２枚以上の原稿が重なったまま搬送されることを重送と呼ぶ。原稿が重送されてしまうと、原稿の画像を正しく読みとることができず、生成された画像データにページ抜けが存在してしまう。
【０００４】
そこで、原稿の重送をセンサによって検知し、原稿の重送が検知された場合に、原稿の読取を一旦停止し、操作部に原稿の読取を継続するか否かをユーザに選択させるための画面を表示する技術がある。（特許文献１参照）
【先行技術文献】
【特許文献】
【０００５】
【特許文献１】特開２００８−２７１５３７号  公報
【発明の概要】
【発明が解決しようとする課題】
【０００６】
しかしながら、従来技術では、原稿の種類に関わらず原稿の重送を検知し、重送が検知された場合に原稿の読取を停止するため、正常に搬送されている原稿であっても原稿の読取が停止されてしまう。
【０００７】
例えば、原稿が封筒である場合、封筒は元々２枚のシートが重なった原稿であるため、封筒が正常に搬送されていても、原稿の読取は停止されてしまう。また、原稿の上に、写真や付箋を貼り付けた原稿であっても、２枚以上のシートが重なっているため、原稿が正常に搬送されていても、原稿の読取は停止されてしまう。
【０００８】
原稿の読取が停止されると、その都度、ユーザは画面を介して原稿の読取の継続を指示しなければ原稿の読取が再開されない。そのため、原稿の読取が完了するまで読取装置の前を離れることができない。
【０００９】
本発明は、上記課題を解決するためになされたものである。本発明の目的は、重送を検知したことによって原稿の読取動作を停止するか否かを設定する仕組みを提供することにある。
【課題を解決するための手段】
【００１０】
原稿を搬送する搬送手段と、
前記搬送手段によって搬送される原稿の重送を検知する検知手段と、
前記搬送手段によって搬送される原稿の画像を読み取る読取手段と、
前記検知手段による前記原稿の重送の検知によって前記原稿の読取動作を停止するか否かを設定する設定手段と、
前記設定手段によって前記検知手段による前記原稿の重送の検知によって前記原稿の読取動作を停止するよう設定されている場合に、前記検知手段による前記原稿の重送の検知によって前記原稿の読取動作を停止するよう制御し、
前記設定手段によって前記検知手段による前記原稿の重送の検知によって前記原稿の読取動作を停止しないよう設定されている場合に、前記検知手段による前記原稿の重送の検知によって前記原稿の読取動作を停止せずに継続するよう制御する制御手段とを有することを特徴とする。
【発明の効果】
【００１１】
本発明によれば、重送を検知したことによって原稿の読取動作を停止するか否かを設定することができる。
【図面の簡単な説明】
【００１２】
【図１】本実施形態に係る画像処理装置の構成を示すブロック図である。
【図２】本実施形態に係る画像処理装置の構成を示す断面図である。
【図３】本実施形態に係る画面を説明するための図である。
【図４】本実施形態に係る制御例を説明するためのフローチャートである。
【図５】本実施形態に係る制御例を説明するためのフローチャートである。
【図６】本実施形態に係る画面を説明するための図である。
【図７】本実施形態に係る画面を説明するための図である。
【図８】本実施形態に係る制御例を説明するためのフローチャートである。
【図９】本実施形態に係る制御例を説明するためのフローチャートである。
【発明を実施するための形態】
【００１３】
以下、本発明の実施形態について添付図面を参照して詳しく説明する。尚、以下の実施形態は特許請求の範囲に係る本発明を限定するものでなく、また本実施形態で説明されている特徴の組み合わせの全てが本発明の解決手段に必須のものとは限らない。
【００１４】
＜第１の実施形態＞
本発明の第１の実施形態に係る印刷システムについて図１を用いて説明する。本実施形態に係る印刷システムは、原稿の画像を読み取る原稿読取装置としての機能を備えるＭＦＰ１００と、外部の情報処理装置であるＰＣ１０１で構成される。なお、ＭＦＰ（Ｍｕｌｔｉ  Ｆｕｎｃｔｉｏｎａｌ  Ｐｅｒｉｐｈｅｒａｌ）１００は、画像読取装置の他に、読み取った画像データをシートに印刷する印刷装置（画像形成装置ともいう）としての機能を備えていてもよい。
【００１５】
ＭＦＰ１００は、ローカルエリアネットワーク等のＬＡＮ（Ｌｏｃａｌ  Ａｒｅａ  Ｎｅｔｗｏｒｋ）やインターネット等のＷＡＮ（Ｗｉｄｅ  Ａｒｅａ  Ｎｅｔｗｏｒｋ）を介してＰＣ１０１と接続されており、ＰＣ１０１と通信を行う。また、本実施形態では、ＭＦＰ１００とＰＣ１０１が有線ＬＡＮを介して接続される例を説明するが、ＭＦＰ１００とＰＣ１０１はＵＳＢ（Ｕｎｉｖｅｒｓａｌ  Ｓｅｒｉａｌ  Ｂｕｓ）ケーブルを介して接続されてもよい。また、ＭＦＰ１００とＰＣ１０１はＷｉ−Ｆｉ（ＷｉｒｅｌｅｓｓＦｉｄｅｌｉｔｙ）やＢｌｕｅｔｏｏｔｈ（登録商標）などの無線通信によって通信可能に構成されてもよい。なお、ＭＦＰ１００は、カラー、或いはモノクロでプリントができればよい。
【００１６】
ＰＣ１０１は、アプリケーションソフトによって画像データを生成し、生成した画像データをＭＦＰ１００に送信する。なお、本実施形態では、ＰＣ１０１を外部の情報処理装置の例として説明するが、ＰＣ１０１に限らず、ＰＤＡ（ｐｅｒｓｏｎａｌ  ｄｉｇｉｔａｌ  ａｓｓｉｓｔａｎｔ）やスマートフォンなどの携帯情報端末であってもよい。
【００１７】
本実施形態に係るＭＦＰ１００は、後述するコントローラ部（制御部）１１０、リーダ部１２０、プリンタ部１３０、外部Ｉ／Ｆ１４０、操作部１５０、ＨＤＤ１６０、及び、圧縮展開部１７０を有する。これらは電気的に接続されており、互いに制御コマンドやデータを送受信する。なお、本実施形態では、ＭＦＰ１００を印刷装置の例として説明するが、印刷機能があれば、ＳＦＰ（Ｓｉｇｌｅ  Ｆｕｎｃｔｉｏｎａｌ  Ｐｅｒｉｐｈｅｒａｌ）であってもよい。
【００１８】
リーダ部１２０は、コントローラ部１１０との通信を制御するスキャナ制御部１２１、原稿を給紙する原稿給紙ユニット（ＤＦユニット、ＡＤＦともいう）１２２、及び、搬送した原稿が重送していることを検知する重送検知センサ１２３を有する。重送検知センサ１２３には、例えば、超音波を利用したセンサや、光学センサ等がある。また、リーダ部１２０での原稿の読取指示はコントローラ部１１０からスキャナ制御部１２１を介して行われる。リーダ部１２０は、原稿の読取指示に従って原稿の画像を光学的に読み取り、電気信号としての画像データに変換する。なお、本実施形態では、リーダ部１２０での原稿の読取指示はコントローラ部１１０からスキャナ制御部１２１を介して行われる場合について以降説明するが、本発明はこれに限られない。リーダ部１２０にスキャナ制御部１２１を持たないＭＦＰの場合、原稿の読取指示はコントローラ部１１０のＣＰＵ１１１から直接行われてもよい。
【００１９】
一方、プリンタ部１３０は、コントローラ部１１０との通信を制御するプリンタ制御部１３１を有する。さらに、プリンタ部１３０は、印刷に使用するシートを収納する複数のシート収納部（給紙段）を備えた給紙ユニット１３２、及び、印刷物に対してステイプル処理やシフト処理を施す排紙ユニット１３３を有する。また、プリンタ部１３０は、コントローラ部１１０のハードディスク（以下、ＨＤＤ）１６０に記憶された印刷対象のジョブの印刷処理を実行する。プリンタ部１３０での画像データの印刷指示はコントローラ部１１０からプリンタ制御部１３１を介して行われ、画像データに基づいて、給紙段から給紙されたシートにトナーを用いて画像を形成（印刷）し、画像データの転写と定着を行う。なお、本実施形態では、プリンタ部１３０での画像データの印刷指示はコントローラ部１１０からプリンタ制御部１３１を介して行われる場合について以降説明するが、本発明はこれに限られない。プリンタ部１３０にプリンタ制御部１３１を持たないＭＦＰの場合、プリンタ部１３０での画像データの印刷指示はコントローラ部１１０のＣＰＵ１１１から直接行われてもよい。
【００２０】
一方、コントローラ部１１０は、自装置内部に複数の処理対象となるジョブを記憶可能なＨＤＤ１６０等の不揮発メモリを備える。尚、本実施形態では、大容量かつ不揮発な記憶装置としてＨＤＤ１６０を例として説明するが、大容量かつ不揮発な記憶装置であるならば、ＤＶＤ、ブルーレイディスク、ＳＳＤ（Ｓｏｌｉｄ  Ｓｔａｔｅ  Ｄｒｉｖｅ）などの不揮発メモリであってもよい。
【００２１】
また、コントローラ部１１０は、ＣＰＵ１１１、ＲＡＭ１１４、ＲＯＭ１１５、リーダＩ／Ｆ１１２、及びプリンタＩ／Ｆ１１３を有する。
【００２２】
ＣＰＵ１１１は、このＭＦＰ１００が備える各種ユニットの処理や動作等を制御する。ＲＯＭ１１５は、読み出し専用のメモリであり、ブートシーケンスやフォント情報等のプログラムを予め記憶している。一方、ＲＡＭ１１４は、読み出し及び書き込み可能なメモリであり、リーダ部１２０や外部Ｉ／Ｆ１４０より送られてきた画像データや、各種プログラムや設定情報等を記憶する。
【００２３】
ＲＯＭ１１５又はＨＤＤ１６０には、ＣＰＵ１１１により実行される、後述するフローチャートの各種処理等を実行するために必要な各種の制御プログラムが記憶されている。また、ＲＯＭ１１５には、ユーザインタフェース画面（以下、ＵＩ画面）を含む、後述する操作部１５０の表示部に各種のＵＩ画面を表示させ、ユーザから画面を介して操作を受付るための表示制御プログラムも記憶されている。
【００２４】
圧縮展開部１７０は、ＪＢＩＧやＪＰＥＧ等といった各種圧縮方式によってＲＡＭ１１４、ＨＤＤ１６０に記憶されている画像データ等を圧縮したり伸張したりする処理を行い、ＲＡＭ１１４に再度格納する。この圧縮展開部１７０によって圧縮された画像データは、外部Ｉ／Ｆ１４０を介して外部装置へ送信することができる。
【００２５】
リーダＩ／Ｆ１１２は画像読取装置であるリーダ部１２０と接続するためのインタフェースであり、プリンタＩ／Ｆ１１３は画像出力装置であるプリンタ部１３０と接続するためのインタフェースである。
【００２６】
また、ＭＦＰ１００は、表示部を有する操作部１５０を備えている。
【００２７】
本実施形態に係るＭＦＰ１００の操作部１５０は、不図示の表示部とハードキーとを有する。表示部は、ＬＣＤ（Ｌｉｑｕｉｄ  Ｃｒｙｓｔａｌ  Ｄｉｓｐｌａｙ：液晶表示部）と、ＬＣＤ上に貼られた透明電極（静電容量方式でもよい）からなるタッチパネルシートとで構成され、ＬＣＤには操作画面やＭＦＰ１００の状態が表示される。操作部１５０は、当該操作画面またはハードキーを介して、ユーザからの各種設定を受け付ける機能と、ユーザに情報を提供する機能とを有する。
【００２８】
続いて、図２を用いて、図１に示したリーダ部１２０及びプリンタ部１３０の断面図について説明する。
【００２９】
リーダ部１２０における原稿給紙ユニット１２２は、原稿台にセットされた原稿を１枚ずつ給紙し、搬送された原稿は重送検知センサ１２３を通過して、光学ユニット２１３に到達する。光学ユニット２１３まで搬送された原稿は排紙トレイ２１９に排出される。
【００３０】
重送検知センサ１２３は、原稿給紙ユニット１２２から給紙された原稿を搬送した際に、当該原稿に重送が発生したことを検知する。例えば、超音波を利用した重送検知センサ１２３では、上部センサから超音波を発信し、その変化を下部センサが感知することによって重送を検知する。そして、１枚の原稿が搬送されたときの受信強度を基準にして、実際に検出された信号がこの基準値よりも受信強度が低いときに重送として判断する。なお、重送とは、原稿給紙ユニット１２２から給紙した原稿を搬送した際、２枚以上の原稿の少なくとも一部が重なった状態で搬送されていることを指す。なお、本実施形態では、超音波を利用したセンサを重送検知センサ１２３の例として説明するが、重送を検知可能であるならば光学センサを利用してもよい。もしくは、原稿の厚みを測定し、その測定データを基準にして、原稿が重送しているかどうか判定してもよい。
【００３１】
原稿が光学ユニット２１３の上まで搬送されると、リーダ部１２０は、ランプ２１２を点灯し、光学ユニット２１３によって原稿に光を当てる。この時、原稿からの反射光は、ミラー２１４、２１５、２１６及びレンズ２１７によってＣＣＤイメージセンサ（以下、ＣＣＤという）２１８へ導かれる。そして、原稿の画像はＣＣＤ２１８によって読み取られる。ＣＣＤ２１８から出力される画像データは、所定の処理が施された後、コントローラ部１１０へ転送される。
【００３２】
また、リーダ部１２０は、原稿給紙ユニット１２２とプラテンガラス２１１の間に置かれた原稿の画像を読み取る。その場合、リーダ部１２０は、ランプ２１２を点灯し、光学ユニット２１３を移動させる。この時の原稿からの反射光は、ミラー２１４、２１５、２１６及びレンズ２１７によってＣＣＤ２１８へ導かれる。そして、原稿の画像はＣＣＤ２１８によって読み取られる。ＣＣＤ２１８から出力される画像データは、所定の処理が施された後、コントローラ部１１０へ転送される。なお、反射光を集光するセンサ部は、ＣＣＤ（Ｃｈａｒｇｅ  Ｃｏｕｐｌｅｄ  Ｄｅｖｉｃｅ）センサである場合について説明したが、このような場合に限らない。センサ部はＣＩＳ（Ｃｏｎｔａｃｔ  Ｉｍａｇｅ  Ｓｅｎｓｏｒ）であってもよい。センサ部にＣＩＳを用いる場合、ミラーやレンズは不要である。
【００３３】
プリンタ部１３０において、レーザドライバ３２１はレーザ発光部３２２を駆動するものであり、コントローラ部１１０から出力された画像データに応じたレーザ光をレーザ発光部３２２に発光させる。このレーザ光は感光ドラム３２３に照射され、感光ドラム３２３にはレーザ光に応じた潜像が形成される。この感光ドラム３２３の潜像の部分には現像器３２４によって現像剤が付着される。
【００３４】
また、プリンタ部１３０は、給紙ユニット１３２として、引き出し状の形状のカセット３１１〜３１４、及び手差しトレイ３４０を有している。カセット３１１〜３１４、及び手差しトレイ３４０は、複数枚のシートを保持することができる。プリンタ部１３０は、カセット３１１〜３１４、及び手差しトレイ３４０のいずれかからシートを給紙し、転写部３２５へ搬送路３３１を通して搬送する。転写部３２５は、感光ドラム３２３に付着された現像剤をシートに転写する。
【００３５】
現像剤が転写されたシートは搬送ベルト３２６によって、定着部３２７に搬送される。定着部３２７は、熱と圧力により現像剤をシートに定着する。その後、定着部３２７を通過したシートは、搬送路３３５、搬送路３３４を通り排出される。シートの印字面を反転して排出する場合、シートは、搬送路３３６を通して搬送路３３８まで導かれる。そこからシートは、逆方向に搬送され、搬送路３３７、搬送路３３４を通して搬送可能である。      
【００３６】
また、両面印刷が設定されている場合、シートは、定着部３２７を通過したあと、搬送路３３６を通って、フラッパ３２９によって搬送路３３３に導かれる。その後、シートは逆方向に搬送され、フラッパ３２９によって、搬送路３３８に導かれた後、再給紙搬送路３３２に導かれる。再給紙搬送路３３２に導かれたシートは、上述したタイミングで搬送路３３１を通り、転写部３２５まで搬送され、転写部３２５によってシートの第２面に現像剤が転写される。そして、シートは、定着部３２７を通して搬送路３３４に導かれる。      
【００３７】
片面印刷であるか、両面印刷であるかにかかわらず、搬送路３３４を通して搬送されたシートは排紙ユニット１３３へ搬送される。
【００３８】
排紙ユニット１３３へ搬送されたシートは、まず排紙ユニット１３３のバッファユニット４０１に送られる。ここでは、場合に応じて搬送されてきたシートを、バッファローラに巻きつけてバッファリングする。例えば、この下流で行われるステイプル等処理に時間がかかる場合は、このバッファユニット４０１を利用することによって本体から搬送されてくるシートの搬送間隔を調整することができる。
【００３９】
そして、シートは、この後、上流排出ローラ対４０２、下流排出ローラ対４０３によって搬送路４０４を経由し、スタックトレイ４０５に積まれる。スタックトレイ４０５に１部数のシート束が積載されたら、積載されたシート束は搬送路４０８を経由して、排紙トレイ４０７に排出される。
【００４０】
シフトするよう指定されている場合、スタックトレイ４０５に積載されたシートの束を、直前に排紙したシートの束に対してずらし、排紙トレイ４０７に排出することによって部の切れ目が、ユーザにとってわかりやすくなる。
【００４１】
ステイプルするよう指定されている場合、上流排出ローラ対４０２で搬送され、下流排出ローラ対４０３によって搬送路４０４を経由して、スタックトレイ４０５に積まれたシート束に対してステイプルユニット４０６によってステイプル処理が行われる。綴じられたシート束は、下流排出ローラ対４０３により排紙トレイ４０７に排出される。
【００４２】
なお、本実施形態では、現像器３２４と感光ドラム３２３を１つずつ備えるモノクロ機を用いて説明するが、本発明は、シアン、イエロー、マゼンタ、ブラック用に現像器と感光ドラムを４つずつ備えるカラー機に適用してもよい。また、本実施形態では、電子写真方式で画像をシートに印刷する方法について説明するが、インクジェット方式であってもよい。また、画像を印刷することができるものであれば、その他の方法であってもよい。      
【００４３】
以上の構成を有するＭＦＰ１００は、複数種類のジョブを実行することができる。
【００４４】
例えば、ＭＦＰ１００は、リーダ部１２０によって原稿の画像を読み取り、読み取った原稿の画像を示す画像データを生成し、当該画像データと操作部１５０を介して受け付けた設定に基づいてシートに画像を印刷させるコピージョブを実行する。
【００４５】
また、ＭＦＰ１００は、リーダ部１２０によって原稿の画像を読み取り、読み取った原稿の画像を示す画像データを生成し、当該画像データをＨＤＤ１６０に記憶するスキャン格納ジョブを実行する。
【００４６】
さらに、ＭＦＰ１００は、ＰＣ１０１から受信した印刷データを解析し、ＰＣ１０１から受け付けた印刷設定に基づいて画像データを生成し、生成した画像データに基づいてシートに画像を印刷させるプリントジョブを実行する。
【００４７】
また、ＭＦＰ１００は、リーダ部１２０によって原稿の画像を読み取り、読み取った原稿の画像を示す画像データを生成し、当該画像データを、ＰＣ１０１に送信するスキャン送信ジョブを実行する。
【００４８】
さらに、ＭＦＰ１００は、リーダ部１２０によって原稿の画像を読み取り、読み取った原稿の画像を示す画像データを生成し、当該画像データを、不図示の電話回線を介して外部のファクシミリ装置に送信するファクス送信ジョブを実行する。
【００４９】
ＭＦＰ１００は、これらのジョブを複数受け付けて不揮発性メモリ１４０に順に記憶し、不揮発性メモリ１４０に記憶された順に実行していく。
【００５０】
ここでは、ＭＦＰ１００が、複数種類のジョブを実行することについて説明したが、本発明はこれに限らない。ＭＦＰ１００は、これらの複数種類のジョブのうちの一部のジョブを実行できるものであればよい。
【００５１】
以上説明した機能を備えるＭＦＰ１００は、普通紙の原稿に加えて、封筒のような種類の原稿を搬送して読み取ることができる。例えば、同じ宛先に定期的に封筒を送る業務がある。そのような業務に使う封筒を作成するために、ユーザは、１つの封筒に宛先を書き込み、同じ宛先を有する封筒を複数枚の封筒にコピーすることがある。また、複数の宛先に定期的に封筒を送る業務もある。その場合、ユーザは複数の封筒にそれぞれ異なる宛先を記入し、それらの封筒をまとめて原稿給紙ユニット１２２にセットして、それらの宛先が記入された複数枚の封筒を出力したい場合がある。ここで、封筒は元々２枚のシートが重なった原稿であるため、原稿が封筒である場合に、重送検知機能が有効に設定されていると、封筒が１枚搬送されるたびに読取が停止してしまう。また、原稿の上に、写真や付箋を貼り付けた原稿であっても、２枚以上のシートが重なっているため、原稿が正常に搬送されていても、原稿の読取は停止されてしまう。原稿の読取が停止されると、その都度、ユーザは画面を介して原稿の読取の継続を指示しなければ原稿の読取が再開されない。そのため、原稿の読取が完了するまで読取装置の前を離れることができなくなってしまう。
【００５２】
そこで、封筒のような種類の原稿や、写真や付箋を貼り付けた原稿が搬送されている場合に、原稿の読取が停止されてしまわないように、ユーザは、原稿が封筒のような原稿を読み取らせる場合に重送検知機能を無効に設定しておく。一方、普通紙の原稿を搬送させる場合、ユーザは、重送検知機能を有効に設定しておく。それによって、普通紙が２枚以上重なって搬送されたときに原稿の読み取りを停止させ、ユーザに原稿を再度ＡＤＦにセットさせることができる。
【００５３】
図３は、原稿の重送検知機能を有効にするか無効にするかを設定するために、操作部１５０が有する表示部に表示される画面の一例である。ユーザは、原稿の読取の開始前に、図３に示す画面を介して、予め原稿の重送検知機能を有効にするか無効にするかを設定しておく。設定された内容は、ＣＰＵ１１１によってＨＤＤ１６０に保持される。
【００５４】
そして、ユーザによって原稿の重送検知機能を有効にするよう設定された場合に、ＭＦＰ１００は、原稿の重送を検知し、原稿の重送を検知したことに従って原稿の読取を停止し、ユーザに原稿を再度ＡＤＦにセットさせる。一方、原稿の重送検知機能を無効にするよう設定された場合に、ＭＦＰ１００は、重送検知センサ１２３によって原稿の重送検知機能を無効にするよう制御する。なお、重送検知センサ１２３によって原稿の重送検知機能を無効にする方法として、重送検知センサ１２３による重送の検知をそもそも行わないよう制御する方法がある。例えば、重送検知センサ１２３への電力供給を遮断する方法である。また、重送検知センサ１２３によって原稿の重送検知機能を無効にする方法として、ＣＰＵ１１１は、重送検知センサ１２３によって原稿の重送を検知したことを示す信号を受信するが、その信号を受信しても原稿の搬送を停止しないよう制御する方法がある。
【００５５】
次に、図４に示すフローチャートを用いて、原稿の重送検知機能を有効または無効にするための制御について説明する。なお、図４のフローチャートに示す処理は、ＣＰＵ１１１がＲＯＭ１１５に記憶されたプログラムをＲＡＭ１１４に読み出して実行することによって行われる。なお、このフローチャートに示す処理は、ジョブの実行前にＭＦＰ１００の機器の設定として設定されるものである。
【００５６】
図４のＳ１０１０で、ＣＰＵ１１１は、操作部１５０を介してユーザモードの機能設定画面などを介して重送検知機能を設定画面の表示要求を受け付けたか否かを判定する。重送検知機能の設定画面の表示要求を受け付けたと判定した場合、Ｓ１０２０に処理を進める。
【００５７】
Ｓ１０２０で、ＣＰＵ１１１は、操作部１５０に図３に示す画面を表示させる。
【００５８】
Ｓ１０３０で、ＣＰＵ１１１は、図３に示す画面で重送検知機能が有効に設定されたか否かを判定する。図３に示す画面の有効が選択され、ＯＫキーが押された場合に、ＣＰＵ１１１は、重送検知機能が有効に設定されたと判定し、Ｓ１０４０に処理を進める。一方、図３に示す画面の無効が選択され、ＯＫキーが押された場合に、ＣＰＵ１１１は、重送検知機能が無効に設定されたと判定し、Ｓ１０５０に処理を進める。
【００５９】
Ｓ１０４０で、ＣＰＵ１１１は、重送検知機能が有効に設定されたことを示す情報をＨＤＤ１６０に記憶し、処理を終了する。
【００６０】
Ｓ１０５０で、ＣＰＵ１１１は、重送検知機能が無効に設定されたことを示す情報をＨＤＤ１６０に記憶し、処理を終了する。
【００６１】
次に、図５に示すフローチャートを用いて、本実施形態に係るＣＰＵ１１１の制御について説明する。なお、図５のフローチャートに示す処理は、ＣＰＵ１１１がＲＯＭ１１５に記憶されたプログラムをＲＡＭ１１４に読み出して実行することによって行われる。この図５に示すフローチャートは、図４に示すフローチャートで重送検知機能を有効または無効にする設定がなされたうえで実行される。
【００６２】
Ｓ２０１０で、ＣＰＵ１１１は、実行すべきコピージョブがＨＤＤ１６０に記憶されているか否かを判定する。例えば、操作部１５０でコピーの設定を受け付け、スタートキーが押された場合に、ＣＰＵ１１１は、受け付けた設定に従ってコピーを実行するためのコピージョブを生成し、生成したコピージョブをＨＤＤ１６０に記憶する。このように、ＣＰＵ１１１は、生成されたコピージョブがＨＤＤ１６０に記憶されているか否かを判定する。
【００６３】
Ｓ２０２０で、ＣＰＵ１１１は、スキャナ制御部１２１に指示し、原稿給紙ユニット１２２にセットされた原稿を給紙させて原稿の読取を開始させる。原稿が読み取られると、読み取られた原稿の画像を示す画像データが生成され、生成された画像データはＨＤＤ１６０に記憶される。
【００６４】
Ｓ２０３０で、ＣＰＵ１１１は、重送検知機能が有効に設定されているか否かを判定する。図４のフローチャートに示す処理によって、ＨＤＤ１６０に重送検知機能が有効に設定されているか、無効に設定されているかを示す情報が記憶されている。そのため、ＣＰＵ１１１は、その情報を参照することで、重送検知機能が有効に設定されているか否かを判定する。重送検知機能が無効に設定されていると判定された場合、ＣＰＵ１１１は、Ｓ２０４０に処理を進め、重送検知機能が有効に設定されていると判定された場合、ＣＰＵ１１１は、Ｓ２０７０に処理を進める。
【００６５】
Ｓ２０７０で、ＣＰＵ１１１は、重送検知センサ１２３からの信号に基づいて、原稿の重送を検知したか否かを判定する。原稿の重送を検知したと判定された場合、Ｓ２０８０に処理を進め、原稿の重送を検知していないと判定された場合、Ｓ２０４０に処理を進める。
【００６６】
Ｓ２０４０に処理を進めた場合、ＣＰＵ１１１は、原稿給紙ユニット１２２にセットされた全ての原稿を搬送したか否かを判定する。原稿給紙ユニットに設けられた原稿検知センサから原稿が有ることを示す信号を受信した場合に、ＣＰＵ１１１は、原稿給紙ユニット１２２にセットされた全ての原稿を搬送していないと判定する。一方、原稿給紙ユニットに設けられた原稿検知センサから原稿が無いことを示す信号を受信した場合に、ＣＰＵ１１１は、原稿給紙ユニット１２２にセットされた全ての原稿を搬送したと判定する。原稿給紙ユニット１２２にセットされた全ての原稿を搬送していないと判定した場合、ＣＰＵ１１１は、次の原稿の読取を行うためにＳ２０２０に処理を進める。原稿給紙ユニット１２２にセットされた全ての原稿を搬送したと判定した場合、ＣＰＵ１１１は、Ｓ２０５０に処理を進める。
【００６７】
Ｓ２０５０に処理を進めた場合、ＣＰＵ１１１は、ＨＤＤ１６０に記憶された画像データと印刷指示をプリンタ制御部１３１に送信し、シートに画像を印刷させる。
【００６８】
Ｓ２０６０で、ＣＰＵ１１１によって印刷が完了したと判定されるまで、Ｓ２０５０の処理が繰り返され、ＣＰＵ１１１によって印刷が完了したと判定された場合に、処理が終了する。
【００６９】
Ｓ２０７０からＳ２０８０に処理を進めた場合、ＣＰＵ１１１は、スキャナ制御部１２１に指示し、原稿の読取動作を停止させる。このとき、既に原稿給紙ユニット１２１によって給紙された原稿は、排紙トレイ２１９に排紙される。それによって、原稿搬送路の途中で搬送が停止された原稿をユーザが手で取り除かなければならなくなる手間を省くことができる。原稿給紙ユニット１２１は、次の給紙すべき原稿を給紙しない。それによって、原稿の読取動作が停止される。なお、ＣＰＵ１１１は、既に原稿給紙ユニット１２１によって給紙された原稿を含めて、重送を検知した時点で直ちに原稿の搬送を停止するようにしてもよい。その場合、ユーザは搬送路に残った原稿を手で取り除く。
【００７０】
Ｓ２０９０で、ＣＰＵ１１１は、原稿の重送が発生したことを示す画面を操作部１５０に表示させる。図６は、Ｓ２０６０で操作部１５０に表示される画面の一例である。図６に示す画面には、重送を検知したことをユーザに通知するための通知メッセージと、原稿を１枚目に戻してスタートキーを押すようユーザに促すための提示メッセージが含まれる。また、図６に示す画面には、原稿の読取を再度搬送させ、読み取らせるためのスタートキーと、ジョブをキャンセルするため中止キーが含まれる。
【００７１】
Ｓ２１００で、ＣＰＵ１１１は、図６に示す画面の表示中にスタートキーが押されたか否かを判定する。スタートキーが押されたと判定した場合、ＣＰＵ１１１はＳ２１２０に処理を進め、中止キーが押されたと判定した場合、ＣＰＵ１１１はＳ２１１０に処理を進める。
【００７２】
Ｓ２１１０に処理を進めた場合、ＣＰＵ１１１は、原稿の読取動作が停止されているコピージョブを中止し、処理を終了する。このとき、ＣＰＵ１１１は、ＨＤＤ１６０に記憶されたコピージョブの設定も、読取済みの原稿の画像データも削除する。
【００７３】
一方、Ｓ２１００からＳ２１２０に処理を進めた場合、ＣＰＵ１１１は、ＨＤＤ１６０に記憶されたコピージョブの設定は削除せずに、読取済みの原稿の画像データを削除する。そして、コピージョブの設定に従って、原稿を１ページ目から読み直すために、Ｓ２０２０に処理を進める。
【００７４】
以上のように、ユーザは、封筒のような種類の原稿や、写真や付箋を貼り付けた原稿を読み取らせる場合に、原稿の読取が誤って停止されないように、重送検知機能を無効に設定しておくことができる。それによって、ユーザは、封筒のような原稿を読み取らせる場合に、原稿の読取が停止される事態に備えて、原稿の読取が完了するまでＭＦＰ１００の前で待機しておく必要がなくなる。
【００７５】
一方、普通紙の原稿を搬送させる場合、ユーザは、重送検知機能を有効に設定しておくことができる。それによって、普通紙が２枚以上重なって搬送されてしまったときに原稿の読み取りが停止するので、ユーザはその時点で原稿を再度ＡＤＦにセットしてジョブを再開させることができる。
【００７６】
なお、本実施形態では、コピージョブを例に説明したが、本発明は、これに限られるものではない。例えば、原稿の読取動作を伴うものであれば、上述したスキャン格納ジョブ、スキャン送信ジョブ、またはファクス送信ジョブで同様の処理を行ってもよい。スキャナン格納ジョブに適用する場合、Ｓ２０５０及びＳ２０６０を実行せずに処理を終了すればよい。スキャン送信ジョブ、またはファクス送信ジョブに適用する場合、Ｓ２０５０で、ＣＰＵ１１１は読み取った画像を送信し、Ｓ２０６０でＣＰＵ１１１は送信が完了したか否かを判定すればよい。
【００７７】
また、上述した実施形態では、全ての原稿の読取が完了してから印刷を開始する例を説明したが、原稿の読取と並行して印刷を実行するようにしてもよい。その場合、１枚目のシートに印刷される画像データの準備が完了したことに従って印刷を開始するようにすればよい。
【００７８】
また、本実施形態では、ＭＦＰ１００の機器の設定として、重送検知機能を有効にするか無効にするかを設定する例を説明したが、本発明はこれに限られるものではない。例えば、ジョブごとに、そのジョブのための設定として重送検知機能を有効にするか無効にするかを設定するようにしてもよい。その場合、そのジョブを実行している間は、設定された内容に従って重送検知機能を有効にするか無効にするかを決め、そのジョブが完了したことに応じて、ＭＦＰ１００の機器の設定に戻すようにしてもよい。
【００７９】
＜第２の実施形態＞
第１の実施形態では、重送検知機能を有効にするか無効にするかを設定する例を説明した。
【００８０】
第２の実施形態では、画像の印刷に用いるシートの種類に従って、重送検知機能を有効にするか無効にする例について説明する。
【００８１】
例えば、画像の印刷に用いるシートが封筒であれば、リーダ部１２０に読み取らせる原稿も封筒である可能性が高い。その理由は、封筒を作成する際に、ユーザは、１つの封筒に宛先を書き込み、同じ宛先を有する封筒を複数枚の封筒にコピーすることが多く、封筒以外のシートに宛先を書いて、それを封筒にコピーすることは少ないからである。封筒に画像をコピーする場合、ユーザは、まず手差しトレイ３４０に封筒をセットし、操作部１５０に図７に示す画面を表示させる。図７に示す画面は、印刷に用いるシートの種類を設定するための画面である。ボタン７０１〜７０６は、印刷に用いるシートの種類を指定するためのボタンである。例えば、ボタン７０１は、シートの種類として普通紙を指定するためのボタンであり、ボタン７０５は、シートの種類として封筒を指定するためのボタンである。ユーザは、ボタン７０５を押すことによって印刷に用いるシートの種類として封筒を選択する。ユーザによって封筒が選択されると、ＭＦＰ１００は、リーダ部１２２によって読み取られた原稿の画像のうち、選択された封筒のサイズに対応する領域の画像を読み取って、読み取った画像を封筒に印刷する。
【００８２】
次に、図８に示すフローチャートを用いて、印刷に用いるシートの種類を設定するための制御について説明する。なお、図８のフローチャートに示す処理は、ＣＰＵ１１１がＲＯＭ１１５に記憶されたプログラムをＲＡＭ１１４に読み出して実行することによって行われる。なお、このフローチャートに示す処理は、ジョブの実行前にジョブの設定として設定されるものである。
【００８３】
Ｓ５０１０で、ＣＰＵ１１１は、操作部１５０を介してシートの種類を設定するための画面の表示要求を受け付けたか否かを判定する。表示要求を受け付けたと判定した場合、ＣＰＵ１１１は、Ｓ５０２０に処理を進める。
【００８４】
Ｓ５０２０で、ＣＰＵ１１１は、図７に示すシートの種類の設定画面を操作部１５０に表示させる。
【００８５】
Ｓ５０３０で、ＣＰＵ１１１は、図７に示す画面で受け付けた種類を、印刷に用いるシートの種類としてＨＤＤ１６０に記憶して処理を終了する。
【００８６】
次に、図９に示すフローチャートを用いて、印刷に用いるシートの種類を設定するための制御について説明する。なお、図９のフローチャートに示す処理は、ＣＰＵ１１１がＲＯＭ１１５に記憶されたプログラムをＲＡＭ１１４に読み出して実行することによって行われる。なお、このフローチャートに示す処理は、図８のフローチャートに示す処理が行われたうえで実行される。
【００８７】
図５との差分のみを説明する。図５との差分は、図５のＳ２０３０の代わりにＳ６０１０を実行するところである。
【００８８】
Ｓ２０２０で、ＣＰＵ１１１は、スキャナ制御部１２１に指示し、原稿給紙ユニット１２２にセットされた原稿を給紙させ、原稿の読取を開始させる。原稿が読み取られると、読み取られた原稿の画像を示す画像データが生成され、生成された画像データはＨＤＤ１６０に記憶される。
【００８９】
Ｓ６０１０で、ＣＰＵ１１１は、印刷に用いるシートの種類が封筒であるか否かを判定する。図８のフローチャートに示す処理によって、ＨＤＤ１６０に記憶されたシートの種類が封筒であるか否かを判定する。封筒が設定されていると判定された場合、ＣＰＵ１１１は、Ｓ２０４０に処理を進め、封筒が設定されていないと判定された場合、ＣＰＵ１１１は、Ｓ２０７０に処理を進める。例えば、普通紙や、厚紙、薄紙、はがき、ＯＨＰが設定されている場合、ＣＰＵ１１１は、Ｓ２０７０に処理を進める。
【００９０】
Ｓ２０７０以降の処理は、図５に示す処理と同様の処理を繰り返す。
【００９１】
以上のように、印刷に必要なシートの種類が封筒であれば、重送検知機能を無効に設定し、印刷に必要なシートの種類が普通紙であれば、重送検知機能を有効に設定する。それによって、封筒に画像をコピーする場合、言い換えると原稿が封筒である可能性が高い場合には、誤って重送検知機能によって読取が停止してしまわないように重送検知機能を無効に設定しておくことができる。そのため、ユーザは、封筒のような原稿を読み取らせる場合に、原稿の読取が停止される事態に備えて、原稿の読取が完了するまでＭＦＰ１００の前で待機しておく必要がなくなる。
【００９２】
一方、普通紙に画像を印刷する場合、重送検知機能を有効に設定しておくことで、普通紙が２枚以上重なって搬送されてしまったときに原稿の読み取りが停止するので、ユーザはその時点で原稿を再度ＡＤＦにセットしてジョブを再開させることができる。
【００９３】
印刷に必要な種類のシートを選択することで、自動的に重送検知機能が有効になるかまたは無効になるかが決まるので、ユーザは、重送検知機能を有効にするか無効にするかを設定しなくてもよくなる。
【００９４】
なお、上述した実施形態では、全ての原稿の読取が完了してから印刷を開始する例を説明したが、原稿の読取と並行して印刷を実行するようにしてもよい。その場合、１枚目のシートに印刷される画像データの準備が完了したことに従って印刷を開始するようにすればよい。
【００９５】
＜その他の実施形態＞
上述した実施形態では、重送を検知した場合に、原稿の読取、または原稿の搬送を停止する例を説明した。しかしながら、本発明はこれに限られない。例えば、原稿の重送を検知した場合に、読み取りは最後の原稿まで行い、重送が発生したことをユーザに通知し、
ユーザに原稿を再度読み取らせるようにしてもよい。その場合、ユーザは、原稿を再度リーダ部１２０にセットし、原稿の読取開始を操作部１５０から指示する。そして、ＣＰＵ１１１は、読取開始の指示を受け付けると、リーダ部１２０に原稿を読み取らせ、読み取った原稿のページを、重送が起きたページの代わりにＨＤＤ１６０に記憶する。
【００９６】
また、本発明の目的は、以下の処理を実行することによっても達成される。即ち、上述の実施例の機能を実現するソフトウェアのプログラムコードを記憶した記憶媒体を装置（又はシステム）に供給し、その装置（又はシステム）のコンピュータ（ＣＰＵ、ＭＰＵ）が記憶媒体に格納したプログラムコードを読出す処理である。この場合、記憶媒体から読出されたプログラムコード自体が前述した実施形態の機能を実現することになる。また、そのプログラムコード及び該プログラムコードを記憶した記憶媒体は本発明を構成することになる。また前記記憶媒体は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）であってもよい。さらに、前記記憶媒体は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）、Ｂｌｕ−ｒａｙ（登録商標）  Ｄｉｓｃ、フラッシュメモリ、メモリカード等であってもよい。また、上述した実施例の１又は複数の機能は、１つのプロセッサによって実現されてもよいし、複数のプロセッサによって実現されてもよいし、ネットワーク上の複数のコンピュータによって実現されてもよい。
【符号の説明】
【００９７】
１１１  ＣＰＵ
１１４  ＲＡＭ
１１５  ＲＯＭ
１５０  操作部
１６０  ＨＤＤ
【図１】
2015106817.tif 000003
【図２】
2015106817.tif 000004
【図３】
2015106817.tif 000005
【図４】
2015106817.tif 000006
【図５】
2015106817.tif 000007
【図６】
2015106817.tif 000008
【図７】
2015106817.tif 000009
【図８】
2015106817.tif 000010
【図９】
2015106817.tif 000011